(57)【特許請求の範囲】
【請求項１】
少なくとも１つの番組信号及び複数のデータサービスに関連するデータ信号を具えたラジオデータシステム信号を送信する送信機を具えたラジオ放送システムであって、前記複数のデータサービスのうちの少なくとも１つに関連するデータ信号は、前記番組信号に関連する情報を含み、各データ信号はグループを具え、各グループは、異なるデータサービスを識別するためのグループ形式コードを具え、前記グループの残りのデータビットが前記データサービスのデータを具えているか前記データサービスに関連する情報を具えているかを区別するための少なくとも１つのデータビットを具え、同じグループ形式コードを有するグループは、１つのデータサービスのデータ及び前記１つのデータサービスに関連する情報を具え、少なくとも１つのデータサービスは、前記番組信号が提供されるネットワークとは異なるネットワーク上で提供され、前記少なくとも１つのデータサービスに関連する情報は、前記少なくとも１つのデータサービスを提供する前記ネットワークの情報を具え、
前記ラジオ放送システムがさらに、前記送信機によって送信されたラジオデータシステム信号を受信し、受信したラジオデータシステム信号を処理すべく構成された受信機を具えていることを特徴とするラジオ放送システム。
【請求項２】
請求項１に記載のラジオ放送システムにおいて、前記送信機が、関係データを搬送する他のデータサービスについての情報を含む前記データサービスに関連する情報を送信すべく構成され、前記関係データは、前記受信機の同調を前記他のデータサービスに関連するデータ信号を受信するための周波数に切り替えるための切替え情報を含むことを特徴とするラジオ放送システム。
【請求項３】
少なくとも１つの番組信号及び複数のデータサービスに関連するデータ信号を具えたラジオデータシステム信号を受信機に送信するラジオ放送送信機であって、前記複数のデータサービスのうちの少なくとも１つに関連するデータ信号は、前記番組信号に関連する情報を含み、前記データ信号は異なるデータサービスを識別するためのグループ形式コードを有するグループを具え、各グループは、前記グループの残りのデータビットが前記データサービスのデータを具えているか前記データサービスに関連する情報を具えているかを区別するための少なくとも１つのデータビットを具え、同じグループ形式コードを有するグループは、１つのデータサービスのデータ及び前記１つのデータサービスに関連する情報を具え、少なくとも１つのデータサービスは、前記番組信号を提供するネットワークとは異なるネットワーク上で提供され、前記少なくとも１つのデータサービスに関連する情報は、前記少なくとも１つのデータサービスを提供する前記ネットワークの情報を具えることを特徴とするラジオ放送送信機。
【請求項４】
ラジオ放送送信機からのラジオデータシステム信号を受信し、前記受信したラジオデータシステム信号を処理するラジオ放送受信機であって、前記ラジオデータシステム信号は少なくとも１つの番組信号及び複数のデータサービスに関連するデータ信号を具え、前記複数のデータサービスのうちの少なくとも１つに関連するデータ信号は、前記番組信号に関連する情報を含み、前記データ信号は、異なるデータサービスを識別するためのグループ形式コードを具え、各グループは、前記グループの残りのデータビットが前記データサービスのデータを具えているか前記データサービスに関連する情報を具えているかを区別するための少なくとも１つのデータビットを具え、同じグループ形式コードを有するグループは、１つのデータサービスのデータ及び前記１つのデータサービスに関連する情報を具え、少なくとも１つのデータサービスは、前記番組信号を提供するネットワークとは異なるネットワーク上で提供され、前記少なくとも１つのデータサービスに関連する情報は、前記少なくとも１つのデータサービスを提供する前記ネットワークの情報を具えることを特徴とするラジオ放送受信機。
【請求項５】
少なくとも１つの番組信号及び複数のデータサービスに関連するデータ信号を具えたラジオデータシステム信号を送信機によって送信するステップであって、前記複数のデータサービスのうちの少なくとも１つに関連するデータ信号が、前記番組信号に関連する情報を含むところのステップを具え；
前記データ信号は、異なるデータサービスを識別するためのグループ形式コードを有するグループを具え；
各グループは、前記グループの残りのデータビットが前記データサービスのデータを具えているか前記データサービスに関連する情報を具えているかを区別するための少なくとも１つのデータビットを具え、
同じグループ形式コードを有するグループは、１つのデータサービスのデータ及び前記１つのデータサービスに関連する情報を具え、前記少なくとも１つのデータサービスは、前記番組信号を提供するネットワークとは異なるネットワーク上で提供され、前記少なくとも１つのデータサービスに関連する情報は、前記少なくとも１つのデータサービスを提供する前記ネットワークの情報を具えることを特徴とするラジオ放送方法。
【発明の詳細な説明】
【０００１】
本発明は、少なくとも１つの番組信号およびデータ信号を具えるラジオデータシステム（ＲＤＳ）信号を送信および受信する送信機および受信機を具え、前記データ信号が、このデータ信号中に示されている前記番組信号に関連する情報を具える、ラジオ放送システムに関係する。
【０００２】
本発明は、少なくとも１つの番組信号およびデータ信号を具えるラジオデータシステム（ＲＤＳ）信号を送信し、前記データ信号が、このデータ信号中に示されている前記番組信号に関連する情報を具える、ラジオ放送送信機に関係する。
【０００３】
本発明は、少なくとも１つの番組信号およびデータ信号を具えるラジオデータシステム（ＲＤＳ）信号を受信し、前記データ信号が、このデータ信号中に示されている前記番組信号における情報を具える、ラジオ放送受信機にも関係する。
【０００４】
本発明は、少なくとも１つの番組信号およびデータ信号を具えるラジオデータシステム（ＲＤＳ）信号を送信および受信するラジオ放送方法であって、前記データ信号が、このデータ信号中に示されている前記番組信号に関連する情報を具えるラジオ放送方法にさらに関係する。
【０００５】
このようなラジオ放送システムは、１９９２年４月にＣＥＮＥＬＥＣによって参照番号ＥＮ５００６７：１９９２の下で刊行されたラジオデータシステム（ＲＤＳ）の仕様書から既知である。このＦＭラジオ放送システムにおいて、番組信号は、キャリヤに周波数変調されており、データ信号は、５７ｋＨｚのサブキャリヤに変調され、該データにおいて示される番組信号についての情報を具える。この示される番組信号を、随伴する番組信号とすることができ、または、随伴する番組信号に関係する番組信号とすることができる。この情報は、前記示される番組信号が放送されるネットワークの識別や、同じ番組信号を受信することができる代わりの周波数や、該番組信号を放送するネットワークに関係する交通情報を具える他のネットワークに対する切替えに関するリンク情報、等を具える。一般に、この情報は、同一のまたは関係する番組信号に関するインフラストラクチャに関係する。これは、データサービスが前記データ信号における情報に含まれる場合、このデータサービスが、前記番組信号と同じインフラストラクチャを共有することを意味する。
【０００６】
本発明の目的は、前記データ信号におけるデータサービスが、もはや前記番組信号に関係するインフラストラクチャに制限されないラジオ放送システムを提供することである。
【０００７】
本発明によるラジオ放送システムは、前記データ信号が、データサービスのデータと、前記データサービスに関連する情報とをさらに具えることを特徴とする。
【０００８】
本発明による送信機は、前記データ信号が、データサービスのデータと、前記データサービスに関連する情報とをさらに具えることを特徴とする。
【０００９】
本発明による受信機は、前記データ信号が、データサービスのデータと、前記データサービスに関連する情報とをさらに具えることを特徴とする。
【００１０】
本発明による方法は、前記データ信号が、データサービスのデータと、前記データサービスに関連する情報とをさらに具えることを特徴とする。
【００１１】
本発明による信号は、前記データ信号が、データサービスのデータと、前記データサービスに関連する情報とをさらに具えることを特徴とする。本発明は、データサービスのデータを前記データ信号に前記データサービスにおける情報と共に加えることによって、前記データサービスを、前記番組サービスを放送するネットワークと実際的に異なる送信機のネットワークにおいて放送することができるという認識を基礎としている。この方法において、例えば、前記データサービスに関する有効受信領域を、前記番組信号の有効受信領域と異ならせることができる。この結果、サービス提供者に関して前記データサービスを提供する柔軟性が増加する。前記データサービスに関連する情報は、前記データサービスの識別と、前記データサービスを放送している代わりの周波数と、前記データサービスの有効受信領域についての情報、等を具えてもよい。
【００１２】
本発明によるラジオ放送システムの一実施例は、前記システムをＲＤＳシステムとしたことを特徴とする。本発明が特に有利であるラジオ放送システムの一例は、前記ラジオデータシステムである。
【００１３】
本発明によるラジオ放送システムの一実施例は、前記データ信号を、異なった形式のデータ間を識別するグループ形式コードを有するグループに構成し、前記同じグループ形式コードを有するグループを、前記データサービスのデータと、前記データサービスに関連する情報とを送信するのに使用することを特徴とする。この方法によって、個々のデータサービスのデータおよび情報を、前記グループ形式コードを使用して分類する。これは、前記受信機において、前記データサービスに関連するデータのグループの簡単かつ効果的な識別を可能にする。このようなコードの一例は、前記ラジオデータシステムにおいて使用されるグループ形式コードである。
【００１４】
本発明によるラジオ放送システムの一実施例は、１つのグループが、残りのデータビットが前記データサービスのデータを具えるか、または前記データサービスに関連する情報を具えるかを識別する１つのデータビットを具えることを特徴とする。これは、データサービスのデータと、前記データサービスに関連する情報とを識別する簡単な方法を受信機に与える。
【００１５】
本発明によるラジオ放送システムの一実施例は、前記データサービスに関連する情報が、関係するデータサービスについての情報を具えることを特徴とする。この方法において、関連するデータを搬送する、あるデータサービスから他のデータサービスへのリンクが可能となる。ここで、いくつかのデータサービスにおいて、したがっていくつかのネットワークにおいて送信される所望のデータを集めることができる。
【００１６】
本発明によるラジオ放送システムの一実施例は、前記関係するデータサービスに関連する情報が、前記受信機の同調を前記関係するデータサービスを受信する周波数に切り替えるための切替え情報を具えることを特徴とする。これは、前記データサービスを搬送するあるネットワークから前記関係するデータサービスを放送する他のネットワークへの確実な切替えを可能にする。このような切替え情報は、前記関係するデータサービスを受信することができる代わりの周波数と、前記関係するデータサービスを提供するサービス提供者の識別と、前記関係するデータサービスの識別、等を具えてもよい。前記切替え情報は、前記切替えのトリガ情報を具えることもできる。この場合において、受信機は、切替えが起こるべき瞬間と、あるいは同様に（このような情報が与えられているならば）前記切替えの持続時間とを決定することができる。
【００１７】
本発明の上記目的および特徴は、以下の図面の参照に関する好適実施例の説明からより明らかになるであろう。
【００１８】
これらの図において、同一の部分には同じ参照符を与えた。前記フローチャートにおいて、“Ｙ”はブロックにおける条件が満たされたことを意味し、“Ｎ”はブロックにおける条件が満たされないことを意味する。
【００１９】
本発明は、データサービスの一部であるデータを送信するシステムを提供する。本発明は、このようなシステムにおいて使用する送信機および受信機も提供する。本発明は、さらに、このようなデータを送信し、受信する方法を提供する。本発明は、このようなデータを具える信号も提供する。複数の送信機を使用してデータサービスを送信した場合、受信機が前記データサービスの受信に関して最も強い送信機を選択できることが望ましいであろう。この目的のために、前記受信機は、前記データサービスを受信することができる代わりの周波数を知る必要がある。さらに、広範な情報を、前記提供されるデータサービスに提供することが望ましいであろう。これは、受信機が、前記データサービスを処理することができるかどうか、および／または所望のデータサービスであるかどうかを決定することを可能にする。加えて、時々、前記データサービスがすべての所望のデータを提供できない場合、この所望のデータの一部を他のネットワークにおいて利用できるようにしてもよい。このように、前記受信機が、前記所望のデータの受信のために他のネットワークに自動的に切り替わり、受信後再び元に切り替わることができるようにするために、ある種のリンクをこの他のネットワークに与えることが望ましい。一般に、本発明は、データサービスを提供し、これは、そのデータサービスについての追加の情報を含む。この追加の情報は、前記サービスそれ自身についての情報、例えば、
−  前記データサービスの識別や、
−  前記サービス提供者の識別や、
−  前記データサービスの有効受信領域を具えてもよい。前記追加の情報は、前記データサービスを受信することができる周波数についての情報を提供してもよく、これはＲＤＳにおいて提供される代わりの周波数に相当する。これは、前記データサービスを受信する受信機が、最適な受信可能性を得ることを可能にする。さらに、前記追加の情報は、前記データサービスの他のデータサービスへのリンクに関するリンク情報を提供することもできる。これは、前記データサービスそれ自身はすべての必要な情報を提供することができないが、その欠けている情報をその当のデータサービスにリンクされた他のデータサービスにおいて得られる状況において有用である。本発明は、番組信号およびデータ信号を送信し、前記データ信号が前記データサービスのデータを具えるシステムにおいて特に有用である。前記データ信号は、さらに、前記番組の代わりの周波数についての情報や、前記番組の識別、等のような番組に関係した情報を具える。しかしながら、この番組に関係した情報は、前記データサービスには有用でないかもしれない。ようするに、前記データサービスを提供するサービス提供者は、前記番組提供者とはまったく異なるかもしれない。さらに、前記データサービスは、前記番組信号を送信する送信機のネットワークとは異なる送信機のネットワークにおいて送信されるかもしれない。このように、前記番組に関係した情報は、前記データサービスに適用できないかも知れず、これは、前記番組に関係した情報において提供された代わりの周波数を、前記データサービスの最適な受信を得るために使用することができないことを意味する。したがって、本発明は、随伴する番組信号とは別々に取り扱うことができるデータサービスを提供する。
【００２０】
図１は、本発明によるラジオ放送システムの図である。本システムは、データサービスと、そのデータサービスについての追加の情報とを送信するように配置されている送信機１０を具える。前記送信機を、番組信号を同時に送信するように配置する。この場合において、キャリヤを変調する前に、前記データサービスを適切な変調によってサブキャリヤに変調し、前記番組信号に付加する。本システムは、さらに、少なくとも１つの受信機１１と、あるいは複数の受信機１１..Ｎとを具える。前記受信機を、前記データサービスと、前記データサービスについての追加の情報とを受信するように配置する。さらに、受信機１１を、前記データサービスにおいて送信されたデータを、前記データサービスによってまたは前記追加の情報において確認されたデータ形式に従って処理するように配置する。受信機１１を、前記追加の情報を処理するようにも配置する。この例を、この説明において後に与える。
【００２１】
本発明を用いることができるシステムは、ラジオデータシステムである。このラジオデータシステムは、５７ｋＨｚのサブキャリヤに変調されたデータ信号を提供する。この変調されたサブキャリヤを、番組信号と共に、キャリヤに周波数変調する。このＲＤＳにおけるデータ信号を、各々が１０４ビットのグループに構成し、これらの各々のグループを、２６ビットの４つのブロックに分割し、１６データビットおよび１０ビットを、チェックワードおよびオフセットのために確保する。各々のグループは、３７自由ビット、すなわち、第２ブロックにおける５ビットと、第３および第４ブロックの各々における１６ビットとを搬送する。これらの自由ビットをデータの送信に使用することができる。他のビットは、すでに確保されている。前記グループを、前記第２ブロックにおいて搬送されるいわゆるグループ形式コード（Group Type Code）であるグループ識別子によって識別する。４ビットを具えるこのグループ形式コードによって、１６の異なったグループ形式を識別することができる。ここまでで、各々のグループ形式は、別々のデータサービスを識別し、これらのデータサービスのいくつかは番組に関係し、いくつかは番組に関係しない。番組に関係するデータサービスを、例えば、グループ形式０（前記番組に対する代わりの周波数を与える基本同調および切替え情報）、１（番組項目番号等）、１４（受信された前記番組を具えるネットワークを他のネットワークにリンクするためのリンク情報を与える増大した他のネットワーク（Enhanced Other Networks）。現在受信されているネットワークが交通情報を具えていない場合において、前記ＥＯＮ特徴は、交通情報を搬送する他のネットワークへの切替えの方法を提供する）において提供する。番組に関係しないデータサービスを、例えば、グループ形式５（透明データチャネル）、７（ラジオページング）および８（交通メッセージチャネル）において提供する。ＲＤＳについての詳細な情報に関しては、１９９２年４月にベルギーのブリュッセルのＣＥＮＥＬＥＣによって刊行された“ラジオデータシステム（ＲＤＳ）の仕様書”、ＥＮ５００６７が参考になる。
【００２２】
図２は、本発明によるラジオ放送受信機を示す。受信機１１は、キャリヤに変調された情報を受信し、復調する受信手段１０１を具える。受信手段１０１の出力部を、サブキャリヤに別個に変調されているかもしれない前記データ信号を復調する復調手段１０２に結合する。復調手段１０２の出力部を、前記復調されたデータ信号を処理するコントローラ１０３に結合する。コントローラ１０３を、コマンドを受け、聴覚および視覚情報を表示するユーザインタフェース１０４に結合する。コントローラ１０３を、データを格納する格納手段１０５にも結合する。コントローラ１０３を、受信手段１０１にも結合し、同調情報を前記受信手段に提供し、同調に関する情報、例えば、受信手段１０１が適切に同調したらそれを示す同調指示子や、受信品質表示度数等を受ける。しかしながら、これは、本発明にとって必須ではない。図２の受信機は、前記ラジオデータシステムによるデータ信号の場合において、番組信号およびデータ信号によって周波数変調されたキャリヤを受けるのに特に好適である。このシステムにおけるデータ信号は、５７ｋＨｚのサブキャリヤに変調されている。
【００２３】
ＲＤＳにおいて、グループ形式コード８を、交通メッセージチャネルであるデータサービスのために受信する。このグループにおいて、符号化交通メッセージを送信し、このメッセージを、受信機においてデータベースの援助によって視覚および音声信号に復号することができる。このデータベースは、交通の場所や交通の事象についての情報を視覚および／または音声フォーマットにおいて具える。前記符号化交通メッセージを、警報Ｃ（Alert C）プロトコルに従って実現する。警報Ｃプロトコルに関しては、１９９０年１１月にＲＤＳ  ＡＬＥＲＴコンソーシアムの監督の下に刊行された予め標準として提案された“警報Ｃ、交通メッセージ符号化プロトコル”が参考になる。本発明の例において、警報Ｃプロトコルに従った交通メッセージを、別個のグループ形式コードに割り当てた。しかしながら、前記グループ形式コードを、警報Ｃを拡張する／継承する他のプロトコルすなわち警報プラス（Alert Plus）と共有する場合、正しいプロトコルを識別するために１ビットを受信する必要がある。本例において、警報Ｃメッセージのみを送信すると仮定する。ここで、ブロック２におけるビットＢ４を以下のように使用する。“０”は、残りの３６ビットが警報Ｃメッセージを具えることを識別し、“１”は、残りの３６ビットが追加の情報を具えることを識別する。本発明は、前記追加の情報を扱うため、警報Ｃメッセージをさらには説明しない。追加の情報を送信した場合、Ｂ４＝“１”によって識別され、ビットＢ４..Ｂ０は、前記追加の情報の異なった部分を識別するアドレス番号を具える。
【００２４】
図３Ａ..３Ｎは、本発明による追加の情報を具えるＲＤＳ  ＴＭＣの図を示す。図３Ａは、３つに分割されたＲＤＳグループの残りの３７ビット、すなわち、第２ブロックにおける５ビット（Ｂ４..Ｂ０）、第３ブロックにおける１６ビット（Ｃ１５..Ｃ０）および第４ブロックにおける１６ビット（Ｄ１５..Ｄ０）を示す。アドレス番号“００００”によって識別されるデータは、以下の情報を具える（図３Ｂ参照）。
【００２５】
−  代わりの周波数指示子ＡＦＩ（１ビット）。前記データサービスが、現在受信されている番組の代わりの周波数を使用できる場合、この代わりの周波数指示子を“１”に設定する。前記データベースの代わりの周波数のリストが、現在受信されている番組の代わりの周波数のリストの役に立たない場合、ＡＦＩを“０”に設定する。
−  サービス識別ＳＩＤ（８ビット）。このサービス識別は、前記データサービスを提供するサービス提供者を識別するのに役に立つ。このサービス識別を、許可を得た者によって定めるべきである。
−  データ形式識別子ＤＴＩ（１１ビット）。このデータ形式識別子、正確にはデータサービス識別子は、前記データサービスを識別するのに役に立つ。ＴＭＣの例において、これは、警報Ｃプロトコルまたは警報プラスプロトコルを識別する識別子である。
−  データベース番号ＤＢ（６ビット）。ＴＭＣの例において、このデータベース番号は、サービスが関係するデータのデータベースを識別する。このデータベースは、例えば、交通メッセージの場所および事象を復号化するのに必要であり、符号化交通メッセージの視覚または音声テキストへの変換を具えることができる。他のデータサービスに関して、このデータベースは、前記データサービスにおけるデータの復号化に必要な復号化または変換情報を含んでもよい。
−  サービスプロファイルＳＰ１（５ビット）。図３Ｂにおいて、ＳＰ１の１ビットをブロック３に置き、他の４ビットをブロック４に置く。これらの５ビットの第１のビットは、前記サービスが全ヨーロッパのサービスであるかどうかを識別する。第２ビットは、国内サービスであるかどうかを識別し、第３ビットは、超地域的なサービスであるかどうかを識別し、第４ビットは、地域的なサービスであるかどうかを識別し、第５ビットは、地方または都市のサービスであるかどうかを識別する。これらの５ビットを互いに独立して設定することができ、これは、データサービスを、超地域的および国内の双方とすることができ、前記５つの可能性のどのような組み合わせとすることもできることを意味する。このように、サービス識別子ＳＰ１は、基本的なＴＭＣサービスの有効受信領域を示す。
−  属性リンク指示子ＧＬ（１ビット）。このビットが“０”に設定されている場合、属性リンクは許可されない。このビットが“１”に設定されている場合、属性リンクは許可され、これは、ＰＩコードＰＱＲＳ（各々の文字が４ビットである）を有する現在の番組を、ＰＩコードＰｘＲＳを有する番組に属性的にリンクすることを意味し、ここで、ｘは、１６進法で４ないしＦの範囲である。
【００２６】
このように、アドレス“００００”を有するグループは、前記データサービスそれ自身に関係する追加の情報を提供する。この情報を、受信されたデータサービスが正しいものであるかどうかを決定するのに使用することができる。例えば、サービス提供者が予期しないものである場合、前記データサービスもまったく予期しないものであるかもしれず、逆もまた同じである。受信機が正確な番号を有するデータベースを有していない場合、前記データサービスのデータを復号化できないかもしれない。ユーザが、前記サービスのある有効受信領域、例えば、国内有効受信範囲に興味がある場合、ユーザは、地域的のみであるデータサービスを欲しがらないかもしれない。このように、これらの情報の項目をすべて使用して、データサービスを選択および／または識別することができる。
【００２７】
アドレス“０００１”を、前記データサービスを受信することができる代わりの周波数を送信するために確保することができる。データサービスが随伴する番組として同じＡＦを有する場合、ＡＦＩを設定し、前記番組のＡＦが使用できることを示す。しかしながら、前記データサービスのＡＦが同じでない場合、または、前記番組のこれら以外にＡＦが存在する場合、アドレス“０００１”は、これらのＡＦを送信するための容量を与える。これらの代わりの周波数と共に、前記代わりの周波数における番組のＰＩコードを送信し、前記データサービスを受信するための正しい番組を受信しているかどうかが分かるように受信機が検査できるようにすることができる。このアドレスコードと共に送信される代わりの周波数を、この情報はＲＤＳの０Ａグループにおいて既に送信されているため、好適には、現在受信されている番組の代わりの周波数でなくする。前記代わりの周波数を送信する方法は、０Ａグループに関して規定したのと同じでよい。このように、ＡＦのマッピングを、第２の代わりの周波数において受信される番組のＰＩコードを追加すると共に行う。このように、図３Ｃにおけるブロック３は、代わりの周波数の２つの対を具え、ブロック４は、他の代わりの周波数において受信される番組に関連するＰＩコードを具える。
【００２８】
図３Ｄおよび３Ｅにおけるアドレス“００１０”および“００１１”を、各々、各々のアドレスに関する３２ビットの残りのデータ領域において４文字の、表示目的のための合計８つの８ビット文字ＣＨＲ１..ＣＨＲ８を伝送するために確保することができる。これらの文字を使用して、例えば、前記データサービスを提供するサービス提供者の名前を表示してもよい。この方法において、ＲＤＳの０Ａおよび０Ｂグループにおいて伝送される番組サービスネームの文字と同じである。
【００２９】
図３Ｆにおけるアドレス“０１００”を、前記追加のサービスの、すなわち、ビットＢ４を“１”に設定したこれらのＴＭＣグループの、フォーマットがＳＰ１と同様のサービスプロファイルＳＰ２を伝送するのに使用してもよい。したがって、このサービスプロファイルは、（ビットＢ４を“０”に設定することによって識別される）基本ＴＭＣサービスのサービスプロファイルＳＰ１と異なってよいが、実現する必要はない。
【００３０】
アドレス“０１０１”、“０１１０”、“０１１１”および“１０００”（各々、図３Ｉ、３Ｊ、３Ｇおよび３Ｈ）を、前記データサービスを、他のネットワークにおいて提供されるデータサービスにリンクするための情報を伝送するために確保することができる。このリンクは、ＲＤＳのＥＯＮ特徴によって提供されるリンクと同様であるが、ＥＯＮ特徴は、番組信号にのみ関係し、データ信号において含まれるデータサービスには関係しない。このように、本発明は、ＥＯＮのような特徴をデータサービスに関して提供する。アドレス“０１０１”および“０１１０”を、前記他のネットワークにおけるデータサービスに情報を関係させるために確保する。このデータは、アドレス“００００”を有するグループにおけるものと同様であるが、ここでは、２つのグループに分割され、アドレス“００００”を有するブロック３の内容（ＳＩＤ、ＤＢおよびＳＰ１の１ビット）と同様の情報ＳＩＤ’、ＤＢ’およびＳＰ１’の１ビットを、アドレス“０１０１”を有するブロック３に置き、アドレス“００００”を有するブロック４の内容（ＤＴＩおよびＳＰ１の４ビット）と同様の情報ＤＴＩ’およびＳＰ１’の４ビットを、アドレス“０１１０”を有するブロック３に置く。アドレス“０１０１”および“０１１０”を有するブロック４の双方は、他のデータネットワークの番組識別コード（ＰＩ（ＯＮ））を具える。ブロック３は、最初のビットとしてのＮＬ０とＮＬ１ビットとを含み、これらの２つのビットは、ＥＯＮにおいて使用したリンクと同様のリンクの形式を示す。双方のビットが“０”である場合、リンクは許可されない。ＮＬ０＝“１”かつＮＬ１＝“０”である場合、ＧＬビットにおいて使用される属性リンクと同様の属性リンクが許可され、これはＰＩコードの第２の４ビットが１６進法で４..Ｆから続く値を有してもよいことを示す。ＮＬ０＝“０”かつＮＬ１＝“１”である場合、拡張された属性リンクが存在し、ここで、ＰＩコードの最後の４ビットは、１６進法で０ないしＦの範囲の値を有してもよい。ＮＬ１およびＮＬ０の双方が“１”である場合、属性リンクおよび拡張属性リンクの双方が許可される。アドレス“０１１１”を、他のネットワークの代わりの周波数を他のネットワークのＰＩコードＰＩ（ＯＮ）と共に提供するために確保することができる。好適には、前記代わりの周波数をマッピングされた対において提供し、ここで、前記対の一方の周波数ＡＦ（ＴＮ）を現在のデータサービスの代わりの周波数とし、前記対における他方の周波数ＡＦ（ＯＮ）を前記現在のデータサービスがリンクされた他のネットワークにおけるデータサービスの代わりの周波数とする。好適には、前記送信機は、同じ有効受信領域または場所および範囲を有するマッピングされた周波数対における周波数において送信する。このマッピングは、ＥＯＮ特徴における代わりの周波数のマッピングと同様である。アドレス“１０００”を、データサービスはネットワークにおいて常には存在せず、ある期間中にのみ存在するかもしれないため、前記他のネットワークにおけるデータサービスが存在する時間におけるタイムスロット情報ＴＳを提供するために確保することができる。前記データ領域におけ���すべてではないビットをこの情報を提供するために使用する場合、残りを、他のデータサービスにおいて送信される追加の情報のサービスプロファイルＳＰ２’と、他のデータサービスのＰＩコードＰＩ（ＯＮ）とを送信するために使用してもよい。アドレス“０１０１”、“０１１０”、“０１１１”および、任意に“１０００”を有するグループを送信することによって、受信機に、このデータネットワークから他のデータネットワークに切替えの瞬時を示すトリガの受け取りに応じて成功理に切り替えるための必要な情報のすべてを提供する。
【００３１】
アドレス“１１１１”および／または“１１１０”を、前記トリガを提供するために使用することができる。受信機が、すべての前記切替え情報を有し、アドレス“１１１１”および／または“１１１０”を有するグループを受信する場合、前記受信機は、前記他のデータサービスを搬送する他のネットワークのＰＩコードによって識別される番組に切り替わる。前記切替え情報を、前記トリガに、すなわち、アドレス“１１１１”（および／または“１１１０”）を有するグループのデータ領域に置くこともできる。この目的のために、アドレス“１１１１”を、ブロック３における第１ビットによって識別される２つの変形を提供するために確保する。Ｃ１５＝“０”の場合、残りの３１ビットの内容は、アドレス“０１０１”を有するグループの最後の３１ビットと同じであり、Ｃ１５＝“１”の場合、残りの３１ビットの内容は、アドレス“０１１０”を有するグループの最後の３１ビットと同じである。もし望むなら、アドレス“１１１０”に関係するデータ領域をアドレス“１１１１”に関するのと同様であるが、前記サービスプロファイルにおいて異ならせ、ここでは前記他のデータサービスの追加の情報のサービスプロファイルとする。しかしながら、アドレス“１１１０”に属するデータは必須ではなく、アドレス“１１１１”は、前記トリガと前記切替え情報のいくつかとを提供するのに実際には十分である。
【００３２】
図４は、本発明において使用する第１のフローチャートを示す。このフローチャートは、サービスの選択を説明し、ここで、前記追加の情報を前記サービスが求めるサービスに適合するか否かに応じて格納する。図４のアルゴリズムを図２のコントローラ１０３において実現し、前記情報を格納手段１０５に格納することができる。表１において、図４のブロックの簡潔な説明を与える。
【００３３】
【表１】
0004447053.tif 000002
【００３４】
ブロックIにおいて、ＲＤＳ  ＴＭＣサービスを選択する。この選択を、種々の方法において行うことができる。利用可能なサービスをメモリに（例えば、製造者によって、またはユーザ自身によって）格納し、ユーザが興味を持つこれらのサービスのみを選択する。前記受信機が学習能力を有し、前記受信機がすべての受信されたサービスを格納し、それによってデータサービスの局所的なデータベースを構築ことも可能である。ユーザは、これらのサービスを後に取り消すことができ、彼が興味を持つこれらのサービスの選択を行うことができる。さらに、これを動的に実現することができ、すなわち、サービスを受信した瞬時を、ユーザが、そのサービスを無視するか、格納するか、実際にアクセスするコマンドとして与えることができる。これを、図５と関連して説明するように、所望のサービスに関する検索によって、または他のデータサービスとのリンクを通じて自動的に行うこともできる。
【００３５】
次にブロックIIにおいて、前記サービスのグループ形式コードを決定する。規定されたグループ形式コードである（および、前記データサービスのグループ形式コードが既知である）場合、このブロックを飛ばすことができる。本出願人の同時係属出願に記載のように、このブロックは、グループ形式コードに対するリンクを有するデータ形式識別子の表を読み出すことを含むことができる。しかしながら、これは、本発明の主要な部分ではない。グループ形式コードを決定した後、次にブロックIIIにおいて、正しいグループ形式コードを有する（そしてビットＢ４を“１”に設定された）グループにおけるデータを復号化する。正しいグループ形式コードを有するがビットＢ４を“０”に設定されたグループにおけるデータを、適当な（警報Ｃ）プロトコルに従って処理してもよい。これは本発明には関係せず、したがってより詳細には扱わない。次にブロックIＶにおいて、前記グループにおけるアドレスが“００００”であるどうかを検査する。前記アドレスが“００００”である場合、次にブロックＶIIにおいて、ＳＩＤ、ＤＴＩ、ＳＰ１、ＤＢおよびＡＦＩ（これらの略語の意味は以前に説明している）のような前記データサービスにおける追加の情報を復号化する。ブロックＶIIに続いてブロックＶIIIにおいて、前記データサービスが求めるまたは選択したサービスと一致するかどうかを検査する。この検査は、正しいサービスプロファイル（ＳＰ１／２）を、または正しいデータベースＤＢ等を基礎とすることができる。一般に、この検査は、以下の項目、ＳＩＤ、ＤＴＩ、ＳＰ１（、ＳＰ２）およびＤＢのいずれか、またはいずれの組み合わせを含むことができる。前記検査が肯定的な返答を返す（前記サービスが求めるサービスと一致した）場合、次にブロックＸにおいて、前記一時的に格納したデータを保持し、前記検査が否定的な場合、次にブロックIＸにおいて前記一時的に格納したデータを消去し、本アルゴリズムは開始に戻る。ブロックIＶにおいて答えがノーである（“００００”のアドレスではない）場合、前記アドレスが“０００１”..“１０００”の範囲内であるかどうかを検査する。ノーの場合、本アルゴリズムは開始に戻り、イエスの場合、次にブロックＶIにおいて、前記グループにおけるデータを復号化し、一時的に格納する。もちろん、前記サービスが求めるサービスと一致することを決定した後、アドレス“０００１”..“１０００”を有するグループにおけるデータの復号化を続けることができる。しかしながら、このフローチャートは、どのように、データサービスの選択を例えば図２のものである受信機において実現できるかの一例を与える。このようなサービスの選択を実現する唯一の可能な方法であることを意図するものではない。
【００３６】
図５は、本発明において使用する第２のフローチャートを示す。表２において、図５のブロックの簡潔な説明を与える。
【００３７】
【表２】
0004447053.tif 000003
【００３８】
ブロックＸIにおいて、“１１１１”または“１１１０”に等しいアドレスを有するグループの形態におけるトリガを受信したかどうかを検査する。答えがノーの場合、本アルゴリズムはその開始に戻る。答えがイエスの場合、次にブロックＸIIにおいて、時間Ｔｍａｘが経過したかどうかを検査する。この時間Ｔｍａｘは、トリガの最初の受け取りの後、前記他のネットワークへの切替えを行わなければならない前に待つことができる最長時間である。時間Ｔｍａｘがまだ経過していない場合、前記トリガを具えるグループにおけるトリガ情報を復号化する。次にブロックＸIＶにおいて、すべてのトリガ情報を受信したかどうかを検査する。これは、アドレス“１１１１”および“１１１０”を有するグループのすべての変形の受け取りを含む。前記トリガ情報が完全でない場合、本アルゴリズムは開始に戻り、再びブロックＸI、ＸII、ＸIIIおよびＸIＶを、時間Ｔｍａｘが経過するか、前記トリガ情報が完全になるまで通過する。次にブロックＸＶにおいて、受信機は、前記トリガ情報において示される他のネットワークに同調する。ハイエンド受信機の場合において、前記受信機は、アドレス“０１１１”を搬送するグループを受信したときに、他のネットワークの代わりの周波数に直接切り替わる。他のネットワークの代わりの周波数用のメモリを持たないローエンド受信機の場合において、他のネットワークのＰＩコードＰＩ（ＯＮ）を具える番組の検索を開始する。このような番組が見つかった場合、本アルゴリズムは、ブロックＸＶIに進み、前記他のネットワークが適切なデータサービス等を搬送しているかどうかを、前記トリガ情報（すべて前記他のネットワークに属するＳＩＤ、ＤＴＩ、ＤＢ、ＳＰ１（、もし利用できればＳＰ２））を完全にまたは部分的に前記他のネットワークのデータサービスについての情報を具える前記他のネットワークにおけるアドレス“００００”を有するグループにおいて見られるデータと比較することによって検査する。次にブロックＸＶIIIにおいて、前記検査が確認された（正しい他のネットワークが見つかった）場合、前記トリガ情報をリセットし、前記受信機はブロックＸIに戻り、新たなトリガ情報および新たなトリガを待つ。このトリガ情報および新たなトリガを、前記受信機をその元のネットワークまたは再び他のネットワークに戻すために、前記他のネットワークのデータサービスの追加の情報において供給する。前記検査が確認されない（正しい他のネットワークが見つからない）場合、前記受信機は、元のネットワークに切り替わる。切替えのこの例において、前記トリガ情報をトリガグループそれ自身において供給する。アドレス“０１０１”および“０１１０”（ＳＰ２もトリガ情報として必要である場合“１０００”も）を有するグループにおいてトリガ情報を受信することもできる。この場合において、前記トリガ情報を完全に受信した場合、前記切替えを、前記トリガグループにおけるトリガ情報をさらに復号化することなく、直接または適当な瞬時において行うことができる。前記切替えの適当な瞬時を、必要ならば、アドレス“１０００”を具えるグループにおけるタイムスロット情報から得てもよく、このタイムスロットは、前記他のネットワー��が関連したデータを伝送するときを示す。これをどのように実現するかは、解決している。より重要なことは、本発明においてこのような情報を供給することができることである。ＰＩコードＰＩ（ＯＮ）を搬送する番組の検索は、（以前に説明したように）各々、アドレス“０１０１”および“０１１０”を有するグループにおいて与えられるようなビットＮＬ０およびＮＬ１によって影響されるかもしれない。これらのビットは、どの位正確に見つかった番組のＰＩコードが前記追加の情報において受信されたＰＩ（ＯＮ）と一致しなければならないかを示す。ここに説明したアルゴリズムを、もちろん、現在受信しているデータサービスに対する追加の情報を搬送するグループ、すなわち、正しいグループ形式を有し、ビットＢ４を“１”に設定されたこれらのグループに用いる。このように、図５は、あるデータサービスから他のネットワークにおける他のデータサービスへの切替えの可能な実現の一例を示す。この方法においてＥＯＮ特徴に類似した特徴を提供する。
【００３９】
図３および４のアルゴリズムを、前記受信機のコントローラ１０３において実現することができ、上記図のアルゴリズムを実現することができる。ここで、格納手段１０５を、例えば、図４のブロックＸにおけるようなデータの格納に使用する。さらに、前記トリガ情報を、図５のブロックＸＶIにおける前記他のネットワークからの復号化データと比較するために、この復号化データを格納する必要があるかもしれない。これを、格納手段１０５において行ってもよい。
【００４０】
与えた例において、グループ形式８がＴＭＣを具えることを仮定した。しかしながら、ＴＭＣを、他のグループ形式において送信してもよい。データサービスの個々のグループ形式への割り当ては、本出願人の同時係属出願の問題であり、本発明に特に関係するものではない。これは、図４のブロックIIに関しても言える。
【００４１】
上述したＲＤＳ  ＴＭＳの例において、一般的な言い方で、データネットワークに属する追加の情報を、個々のデータサービスを伝送するグループにどのように入れるかを説明した。この追加の情報は、前記データサービスおよびサービス提供者の広範囲な識別を可能にし、同じデータネットワークを搬送する代わりの周波数へ、または現在のデータネットワークにリンクされた他のデータネットワークの代わりの周波数へ切り替えるための情報も提供する。これらの処置によって、極めて柔軟で強力なデータサービスが形成され、ここで、他のグループにおいて前記追加の情報を極めて良好に提供することができるとしても、必要な追加の情報のすべてをデータサービスそれ自身と同じグループ内で提供する。これは、しかしながら、データサービスを搬送するグループを、前記データサービスに関連する追加の情報を搬送するグループにリンクする方法を必要とし、これはオーバヘッドをより大きくし、したがってデータ容量が減少するかもしれない。
【００４２】
図４および５のアルゴリズムを、図２の受信機において、コントローラ１０３において実現することができる。もちろん、これらのアルゴリズムを、ハードウェアにおいて実現することもできる。
【００４３】
本発明を、ＲＤＳ  ＴＭＣデータサービスを使用して説明したが、本発明は、この用途に限定されない。ＲＤＳの他のデータサービスに用いることもできる。さらに、本発明は、その用途において、ラジオデータシステムに限定されず、同じネットワークに属しても属さなくてもよい多数の送信機からデータサービスを送信するどのようなシステムにも使用することができる。本発明を、他のネットワークにリンクされ、他の送信機において送信してもよいデータサービスを提供するシステムにおいて使用することもできる。さらに、本発明を、番組信号およびデータ信号をキャリヤに変調し、前記データ信号が番組に関係するデータを具えず、データサービスのみを具えるシステムにおいて使用することができる。容易に理解されるように、変調の形式（ＡＭ／ＦＭ／等）は、本発明にとって本質的なことではなく、前記キャリヤに変調するために前記データ信号を番組信号に結合する方法でもない。
【図面の簡単な説明】
【図１】本発明によるラジオ放送システムの図を示す。
【図２】本発明によるラジオ放送受信機を示す。
【図３Ａ】本発明による追加の情報を具えるＲＤＳ  ＴＭＣグループの図を示す。
【図３Ｂ】本発明による追加の情報を具えるＲＤＳ  ＴＭＣグループの図を示す。
【図３Ｃ】本発明による追加の情報を具えるＲＤＳ  ＴＭＣグループの図を示す。
【図３Ｄ】本発明による追加の情報を具えるＲＤＳ  ＴＭＣグループの図を示す。
【図３Ｅ】本発明による追加の情報を具えるＲＤＳ  ＴＭＣグループの図を示す。
【図３Ｆ】本発明による追加の情報を具えるＲＤＳ  ＴＭＣグループの図を示す。
【図３Ｇ】本発明による追加の情報を具えるＲＤＳ  ＴＭＣグループの図を示す。
【図３Ｈ】本発明による追加の情報を具えるＲＤＳ  ＴＭＣグループの図を示す。
【図３Ｉ】本発明による追加の情報を具えるＲＤＳ  ＴＭＣグループの図を示す。
【図３Ｊ】本発明による追加の情報を具えるＲＤＳ  ＴＭＣグループの図を示す。
【図３Ｋ】本発明による追加の情報を具えるＲＤＳ  ＴＭＣグループの図を示す。
【図３Ｌ】本発明による追加の情報を具えるＲＤＳ  ＴＭＣグループの図を示す。
【図３Ｍ】本発明による追加の情報を具えるＲＤＳ  ＴＭＣグループの図を示す。
【図３Ｎ】本発明による追加の情報を具えるＲＤＳ  ＴＭＣグループの図を示す。
【図４】本発明において使用する第１のフローチャートを示す。
【図５】本発明において使用する第２のフローチャートを示す。
【図１】
0004447053.tif 000004
【図２】
0004447053.tif 000005
【図３Ａ】
0004447053.tif 000006
【図３Ｂ】
0004447053.tif 000007
【図３Ｃ】
0004447053.tif 000008
【図３Ｄ】
0004447053.tif 000009
【図３Ｅ】
0004447053.tif 000010
【図３Ｆ】
0004447053.tif 000011
【図３Ｇ】
0004447053.tif 000012
【図３Ｈ】
0004447053.tif 000013
【図３Ｉ】
0004447053.tif 000014
【図３Ｊ】
0004447053.tif 000015
【図３Ｋ】
0004447053.tif 000016
【図３Ｌ】
0004447053.tif 000017
【図３Ｍ】
0004447053.tif 000018
【図３Ｎ】
0004447053.tif 000019
【図４】
0004447053.tif 000020
【図５】
0004447053.tif 000021